(57)【要約】【課題】着用者の動きによる暖房服の引き連れを防止するためのに、加熱循環装置の一対の可撓性循環プラスチックパイプを衣服の裏地に着脱自在に且つ裏地に対して移動可能に保持して成る暖房服を提供する。【解決手段】暖房服は、加熱循環装置（３）の一対の可撓性循環プラスチックパイプ（６）と、該プラスチックパイプを、その巡らし位置で、衣服（１４）の裏地（２）に着脱自在に且つ裏地に対して移動可能に保持するための、衣服の裏地の裏側に設けられた不連続の開放可能な帯状鞘（９）と、を有する。【選択図】図１
2010037682.tif 000002
【特許請求の範囲】
【請求項１】
加熱循環装置の一対の可撓性循環プラスチックパイプと、着用者の動きによる暖房服の引き連れを防止するためのに、加熱循環装置の一対の可撓性循環プラスチックパイプを衣服に弛みをもって巡らせ、該プラスチックパイプを、その巡らし位置で、衣服の裏地に着脱自在に且つ裏地に対して移動可能に保持するための、衣服の裏地の裏側に設けられた不連続の開放可能な帯状鞘と、を有する暖房服。
【請求項２】
前記加熱循環装置は衣服の前身頃に設けられたポケットに納められ、前記加熱循環装置の可撓性循環プラスチックパイプは、衣服に設けられた穴を通して裏地の裏側に面している、請求項１に記載の暖房服。
【請求項３】
開放可能な帯状鞘は、一方の縁が裏地に縫い付けられ、他方の縁が互いに重ね合わされる二枚の細長い布片と、布片と裏地との間に構成される鞘空間に循環プラスチックパイプを収納保持するために布片を互いに結合するための留め具を含む、請求項１に記載の暖房服。
【請求項４】
開放可能な帯状鞘は、一方の縁が裏地に縫い付けられ、他方の縁部が内側に折り込まれて縁縫いが施され、幅広の一枚の布片と、折り返し部分との間に構成される鞘空間に循環プラスチックパイプを収容保持するために折り返し部分を裏地に結合するための留め具と、を含む請求項１に記載の暖房服。
【請求項５】
前記鞘空間は、循環プラスチックパイプの断面にりも十分に大きい、請求項３又は４に記載の暖房服。
【請求項６】
着用者の動きによって起こる可撓性循環プラスチックパイプの裏地に対する偏りを防止するために、巡らされた可撓性循環プラスチックパイプを、裏地に固定するための手段を含む，請求項１に記載の暖房服。
【発明の詳細な説明】
【技術分野】
【０００１】
本発明は、燃焼熱を熱源にして水等の媒体を加熱し、その加熱媒体を可撓性循環プラスチックパイプを介して衣服全体に循環させて衣服を暖める暖房服に関し、特に、循環パイプを衣服に着脱自在に装着できるようにした暖房服に関する。
【背景技術】
【０００２】
暖房服は、一般的に、加熱媒体を衣服全体に循環させるための可撓性循環プラスチックパイプを有する加熱循環装置を備える。加熱循環装置は衣服に装着され、可撓性循環プラスチックパイプは、衣服の裏地にループ状に張り巡らせて固定される。このような暖房服には、２つの問題がある。その１つは、可撓性循環プラスチックが衣服の裏地に固定されているため、身体の動きで衣服が引きつることである。もう１つは、汚れた衣服を洗濯する際に、可撓性循環プラスチックパイプが衣服の裏地に固着されているため洗濯機の使用は許されず、可撓性循環プラスチックパイプの損傷を引き起こさないように細心の注意をもって手洗いすることが要求されることである。この問題を回避するために、従来、例えば、引用文献１に記載されているように、衣服の表地と裏地の間に、可撓性循環プラスチックを内蔵した出し入れ可能なインサートを配置することが提案されている。しかし、この提案では、インサートの構成が複雑になるばかたでなく、暖房服の厚さ全体がより厚くなることから、身体の軽快な動きを妨げる要因になる。
【０００３】
【特許文献１】特開２００２−２７５７１０号公報
【発明の開示】
【発明が解決しようとする課題】
【０００４】
本発明の目的は、着用者の動きによる暖房服の引き連れを防止するためのに、加熱循環装置の一対の可撓性循環プラスチックパイプを衣服に弛みをもって巡らせるとともにその裏地に着脱自在に且つ裏地に対して移動可能に保持して成る暖房服を提供することにある。
【０００５】
本発明の他の目的は、着用者の動きによる可撓性循環プラスチックパイプの偏りを防止する暖房服を提供することにある。
【課題を解決するための手段】
【０００６】
これらの目的は、加熱循環装置の一対の可撓性循環プラスチックパイプと、可撓性循環プラスチックパイプを、その巡らし位置で、衣服の裏地に着脱自在に且つ裏地に対して移動可能に保持するための、衣服の裏地の裏側に設けられた不連続の開放可能な帯状鞘と、を有する暖房服を提供する。
【０００７】
本発明の好ましい形態では、暖房服は、可撓性循環プラスチックパイプの裏地に対する偏りを防止するために、巡らされた可撓性循環プラスチックパイプを裏地に固定するための手段を含む、暖房服を提供する。
【発明を実施するための最良の形態】
【０００８】
今、図１を参照すると、本発明による暖房服１は、断熱層を含む防寒服１４と、裏地２と、を含む。加熱循環装置３は、図２に詳細に示されているように、２つの閉回路を構成する一対の可撓性の又は柔軟な循環プラスチック６ａ、６ｂを有し、その中を加熱循環装置の燃焼熱で加熱された加熱媒体、例えば温水が矢印で示すように循環するようになっている。加熱循環装置の本体は、防寒服の左前身頃４の下方で防寒服１４の外側に設けたポケット５に収納される。加熱循環装置から出た左側循環プラスチックパイプ６ａ、右側循環プラスチックパイプ６ｂは、防寒服１４に開けられた穴７から服の内側に入って、裏地２の裏側に面する。ポケットフタ８は加熱循環装置３と服の穴７を隠すためのものである。循環プラスチックパイプ６ａ、６ｂの順路として、左側循環プラスチックパイプ６ａは、左前身頃から左袖に入り、その袖を長手方向に一巡して左肩へ抜け、背中を蛇行しながら下り、腰辺りを回って加熱循環装置３に戻り、右側循環プラスチックパイプ６ｂは、左前身頃を上に登り、首を半巡して右肩に入り、やはり右袖を長手方向に一巡して右前身頃に出てそこから前身頃を下り、服の裾部分を回って加熱循環装置３に戻る。巡らされる循環プラスチックパイプは、裏地２の裏側に設けられた複数の不連続の開放可能な帯状鞘９内に保持される。
【０００９】
開放可能な帯状鞘９は、図３に示すように、一方の縁が裏地２に１１、１１で縫い付けられ、他方の縁が互いに重ね合わされる二枚の細長い布片１２、１２と、布片１２と裏地２との間に構成される鞘空間に循環プラスチックパイプを収納保持するために布片を互いに結合するための留め具１３とを含む。鞘空間は、プラスチックパイプの断面よりも十分に大きく、プラスチックパイプが鞘空間の中を自由に移動出来るようにする。このことから、循環プラスチックパイプは、隣接した帯状鞘の間に弛みができるように配置されることが望ましい。これは、暖房服の着用中腕や身体を動かすとき、循環プラスチックパイプによる衣服の引き連れを防止する上で重要である。留め具は、布片の長さに沿って適当な間隔に設けられることは容易に理解されよう。図３に示した実施形態では、留め具１３は、一方の布片に取り付けられたボタンと、もう一方の布片に設けられた、ボタンを掛けるボタンホールとからなる。かくして、ボタンを外すと、布片１２、１２が開くので、循環プラスチックパイプを帯状鞘から簡単に取り出し、裏地２から全体的に取り外すことがができる。留め具として、ホックや面ファスナー或いはそれらの組み合わせを用いても良いことは明らかである。
【００１０】
図４は、より簡易な帯状鞘の実施形態を示し、この例では、帯状鞘は、幅広の一枚の布片１５によって構成される。布片１５は、その一方の縁が裏地２に１１で縫い付けられ、他方の縁部が内側に折り込まれて縁縫いが施され、折り返し部分との間に、循環プラスチックパイプを収容保持する鞘空間を構成する。留め具１３は、図３に示すものと同様に、折り返し部分に設けられたボタンホール１６と、裏地２に取り付けられ、ボタンホールに掛けられるボタン１７と、を含む。
【００１１】
図１で分かるように、先に述べた循環プラスチックパイプ６による衣服の引き連れを防止する観点から、循環プラスチックパイプが弛みをもって配置され且つ帯状鞘内で自由に移動可能であるため、着用者が腕や身体を動かすことによってプラスチックパイプに偏りが生じることがある。これを防止するため、偏りの起こりやすい循環プラスチックパイプの箇所をファスナー１９によって裏地に固定することが望ましい。かかる箇所は、両袖の先端部、両袖の付け根部で、循環プラスチックパイプが袖に入る付近、袖を一巡して袖から出た部分、背中の蛇行部分、その他プラスチックパイプの適宜曲がり部分である。図６は、ファスナー１９が袖に入る付近、袖の先端部、袖から出た部分に取り付けられ、ファスナー２１と２２の間及び２２と２３の間に弛み２４がそれぞれ形成されている様子を示す。フアスナー１９は、図５で明らかなように、裏地２に固定されたファスナー基部１９ａを一端に有し、他端にファスナー着脱部１９ｂを設けた保持テープ１８からなる。ファスナー着脱部１９ｂとファスナー基部１９ａとを互いに嵌め合わせることによって保持テープ１８はプラスチックパイプを包囲状態で裏地２に固定する。プラスチックパイプが包囲状態の保持テープ１８内で長手方向に滑らないように、保持テープ１８とプラスチックパイプとの間には、プラスチックパイプに嵌められたゴムチューブ２０が介在される。
なお、図１において、３５は、衣服の前身頃の縦縁部に設けられたジッパーを示し、３７は、衣服の裏地２の裾部分に設けられた衣服の裏返し口を閉じるためのジッパーを示す。ジッパー３７を用いて裏返し口を開き、そこから衣服を裏返す。すると、裏地の裏側が剥き出しになるから、ボタン１３又は１７をボタン穴から外して布片１２又は１５を開いて帯状鞘から循環プラスチックパイプ６を取り外し、更に保持テープ１８による裏地との固定を解いて循環プラスチックパイプを加熱循環装置３と共に衣服から取り出す。このようにすることによって衣服だけを洗濯に掛けることができる。逆に、循環プラスチックパイプを裏地に装着したのち衣服を裏返し口を通して表返し、ジッパー３７で裏返し口を閉じれば、暖房服が完成する。
【図面の簡単な説明】
【００１２】
【図１】本発明による暖房服の前を大きく開いて裏地を見せている暖房服の正面図である。
【図２】一対の可撓性循環プラスチックパイプを有する加熱循環装置とそれを収納する衣服のポケットとの関係を示す概略斜視図である。
【図３】衣服の裏地に循環プラスチックパイプを装着する手段を示す断片的な斜視図である。
【図４ａ】衣服の裏地に循環プラスチックパイプを装着する他の手段を示す断片的な斜視図である。
【図４ｂ】図４ａに示す装着手段の側面図である。
【図５ａ】循環プラスチックパイプを裏地に固定する手段の斜視図である。
【図５ｂ】図５ａに示す固定手段の断面図である。
【図６】背中側から見た暖房服の部分斜視図である。
【符号の説明】
【００１３】
１  暖房服
２  裏地
３  加熱循環装置
４  前身頃
５  ポケット
６  可撓性循環プラスチックパイプ
７  穴
９  開放可能な帯状鞘
１２  布片
１５  布片
１８  保持テープ
１９  ファスナー
【図１】
2010037682.tif 000003
【図２】
2010037682.tif 000004
【図３】
2010037682.tif 000005
【図４ａ】
2010037682.tif 000006
【図４ｂ】
2010037682.tif 000007
【図５ａ】
2010037682.tif 000008
【図５ｂ】
2010037682.tif 000009
【図６】
2010037682.tif 000010
【手続補正書】
【提出日】平成20年8月15日(2008.8.15)
【手続補正１】
【補正対象書類名】図面
【補正対象項目名】全図
【補正方法】変更
【補正の内容】
【図１】
2010037682.tif 000011
【図２】
2010037682.tif 000012
【図３】
2010037682.tif 000013
【図４ａ】
2010037682.tif 000014
【図４ｂ】
2010037682.tif 000015
【図５ａ】
2010037682.tif 000016
【図５ｂ】
2010037682.tif 000017
【図６】
2010037682.tif 000018